(57)【要約】      （修正有）【課題】口紅等の棒状化粧品とリップグロス等の粘性のある液状化粧料を1個の容器に収納して、同時に所持することができる化粧料収納容器を得る。【解決手段】ハカマ部材9の先端部に回転可能に取付けられた筒部材11、この筒部材11とハカマ部材9とを回転させることにより筒部材11の先端部より口紅等の棒状化粧品2を出没させることができる棒状化粧品2の出没機構18とからなる棒状化粧品容器3と、この棒状化粧容器3のハカマ部材9の後端部に着脱可能に取付ける取付け手段19を介して取付けられた内部にリップグロス等の粘性のある液状化粧料4が収納されたチューブ30を押し圧することができるチューブカバー28、このチューブカバー28の先端部にチューブ30内の液状化粧料4を流出口を介して先端部より流出させることができるように取付けられたアプリケーター36を備える液状化粧料容器5とで化粧料収納容器1を構成する。【選択図】図４
2008220626.tif 000002
【特許請求の範囲】
【請求項１】
ハカマ部材、このハカマ部材の先端部に回転可能に取付けられた筒部材、この筒部材と前記ハカマ部材とを回転させることにより、該筒部材の先端部より口紅等の棒状化粧品を出没させることができる棒状化粧品の出没機構とからなる棒状化粧品容器と、この棒状化粧容器のハカマ部材の後端部に着脱可能に取付ける取付け手段を介して取付けられた内部にリップグロス等の粘性のある液状化粧料が収納されたチューブを押し圧することができるチューブカバー、このチューブカバーの先端部に前記チューブ内の液状化粧料を流出口を介して先端部より流出させることができるように取付けられたアプリケーター、このアプリケーターの流出口を覆うように該アプリケーターに着脱可能に取付けられる液状化粧料用キャップとからなる液状化粧料容器とを備えることを特徴とする化粧料収納容器。
【請求項２】
筒状のハカマ部材、このハカマ部材の先端部に回転可能に取付けられた筒部材、この筒部材と前記ハカマ部材とを回転させることにより、該筒部材の先端部より口紅等の棒状化粧品を出没させることができる棒状化粧品の出没機構とからなる棒状化粧品容器と、この棒状化粧容器のハカマ部材の後端部の内壁面に形成したねじ孔と着脱可能に螺合するねじ筒が後端部に形成された内部にリップグロス等の粘性のある液状化粧料が収納されたチューブを押し圧することができるチューブカバー、このチューブカバーの先端部に前記チューブ内の液状化粧料を流出口を介して先端部より流出させることができるように取付けられたアプリケーター、このアプリケーターの流出口を覆うように該アプリケーターに着脱可能に取付けられる液状化粧料用キャップとからなる液状化粧料容器とを備えることを特徴とする化粧料収納容器。
【請求項３】
後端部に、内部にリップグロス等の粘性のある液状化粧料が収納されたチューブが収納される、該チューブ押し圧透孔を有するチューブカバーが形成されたハカマ部材、このハカワ部材の先端部に回転可能に取付けられた筒部材、この筒部材と前記ハカマ部材とを回転させることにより、該筒部材の先端部より口紅等の棒状化粧品を出没させることができる棒状化粧品の出没機構とからなる棒状化粧品容器と、この棒状化粧容器のハカマ部材のチューブカバー内に収納されるリップグロス等の液状化粧料が収納されたチューブ、前記棒状化粧品容器のハカマ部材のチューブカバーの先端部に前記チューブ内の液状化粧料を流出口を介して先端部より流出させることができるように取付けられたアプリケーター、このアプリケーターの流出口を覆うように該アプリケーターに着脱可能に取付けられる液状化粧料用キャップとからなる液状化粧料容器とを備えることを特徴とする化粧料収納容器。
【請求項４】
筒状のハカマ部材、このハカマ部材の先端部に回転可能に取付けられた筒部材、この筒部材と前記ハカマ部材とを回転させることにより、該筒部材の先端部より口紅等の棒状化粧品を出没させることができる棒状化粧品の出没機構とからなる棒状化粧品容器と、この棒状化粧容器のハカマ部材の後端部の内壁面に形成したねじ孔と着脱可能に螺合するねじ筒が後端部に形成された内部にリップグロス等の粘性のある液状化粧料が収納されたチューブを押し圧することができるチューブカバー、このチューブカバーの先端部に前記チューブ内の液状化粧料を流出口を介して先端部より流出させることができるように取付けられたアプリケーター、このアプリケーターの流出口内に前記チューブの押し圧により液状化粧料を流出させることができチューブの押し圧解除により該チューブが元の状態に戻るときに流出させた液状化粧料の戻りを押さえることができるように空気溜まりができるように取付けられた絞り部を有する流出制御体と、前記アプリケーターの流出口を覆うように該アプリケーターに着脱可能に取付けられる液状化粧料用キャップとからなる液状化粧料容器とを備えることを特徴とする化粧料収納容器。
【請求項５】
ハカマ部材、このハカマ部材の先端部に回転可能に取付けられた筒部材、この筒部材と前記ハカマ部材とを回転させることにより、該筒部材の先端部より口紅等の棒状化粧品を出没させることができる棒状化粧品の出没機構とからなる棒状化粧品容器と、この棒状化粧容器のハカマ部材の後端部に着脱可能に取付ける取付け手段を介して取付けられた内部にリップグロス等の粘性のある液状化粧料が収納されたチューブを押し圧することができるほぼ半円筒形状に切り欠いた切り欠き部を有するチューブカバー、このチューブカバーの先端部に前記チューブ内の液状化粧料を流出口を介して先端部より流出させることができるように取付けられたアプリケーター、このアプリケーターの流出口を覆うように該アプリケーターに着脱可能に取付けられる液状化粧料用キャップとからなる液状化粧料容器とを備えることを特徴とする化粧料収納容器。
【発明の詳細な説明】
【技術分野】
【０００１】
本発明は化粧料収納容器に関する。
【背景技術】
【０００２】
従来の化粧料収納容器は口紅等の棒状化粧品を収納する口紅等の収納容器と、リップグロス等の液状化粧料を収納する液状化粧料収納容器とは別々に構成されている。
【０００３】
このため、口紅等の収納容器と液状化粧料収納容器とを同時に所持していなければならないため、手数がかかるとともに、使用時に多くの化粧品の中から探し出さなければならず、面倒であるという欠点があった。
【特許文献１】特許第３７７２０４２号
【特許文献２】特許第３０８３４９４号
【発明の開示】
【発明が解決しようとする課題】
【０００４】
本発明は以上のような従来の欠点に鑑み、口紅等の棒状化粧品とリップグロス等の粘性のある液状化粧料を1個の容器に収納して、同時に所持することができるとともに、使用時に探し出す等の手間がかかるのを確実に防止し、かつ色の異なる口紅等の棒状化粧品と色等の異なるリップグロス等の粘性のある液状化粧料を任意に選択して、容易に組み合わせて使用することができる化粧料収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はハカマ部材、このハカマ部材の先端部に回転可能に取付けられた筒部材、この筒部材と前記ハカマ部材とを回転させることにより、該筒部材の先端部より口紅等の棒状化粧品を出没させることができる棒状化粧品の出没機構とからなる棒状化粧品容器と、この棒状化粧容器のハカマ部材の後端部に着脱可能に取付ける取付け手段を介して取付けられた内部にリップグロス等の粘性のある液状化粧料が収納されたチューブを押し圧することができるチューブカバー、このチューブカバーの先端部に前記チューブ内の液状化粧料を流出口を介して先端部より流出させることができるように取付けられたアプリケーター、このアプリケーターの流出口を覆うように該アプリケーターに着脱可能に取付けられる液状化粧料用キャップとからなる液状化粧料容器とで化粧料収納容器を構成している。
【０００７】
本発明は筒状のハカマ部材、このハカマ部材の先端部に回転可能に取付けられた筒部材、この筒部材と前記ハカマ部材とを回転させることにより、該筒部材の先端部より口紅等の棒状化粧品を出没させることができる棒状化粧品の出没機構とからなる棒状化粧品容器と、この棒状化粧容器のハカマ部材の後端部の内壁面に形成したねじ孔と着脱可能に螺合するねじ筒が後端部に形成された内部にリップグロス等の粘性のある液状化粧料が収納されたチューブを押し圧することができるチューブカバー、このチューブカバーの先端部に前記チューブ内の液状化粧料を流出口を介して先端部より流出させることができるように取付けられたアプリケーター、このアプリケーターの流出口を覆うように該アプリケーターに着脱可能に取付けられる液状化粧料用キャップとで化粧料収納容器を構成している。
【０００８】
本発明は後端部に、内部にリップグロス等の粘性のある液状化粧料が収納されたチューブが収納される、該チューブ押し圧透孔を有するチューブカバーが形成されたハカマ部材、このハカワ部材の先端部に回転可能に取付けられた筒部材、この筒部材と前記ハカマ部材とを回転させることにより、該筒部材の先端部より口紅等の棒状化粧品を出没させることができる棒状化粧品の出没機構とからなる棒状化粧品容器と、この棒状化粧容器のハカマ部材のチューブカバー内に収納されるリップグロス等の液状化粧料が収納されたチューブ、前記棒状化粧品容器のハカマ部材のチューブカバーの先端部に前記チューブ内の液状化粧料を流出口を介して先端部より流出させることができるように取付けられたアプリケーター、このアプリケーターの流出口を覆うように該アプリケーターに着脱可能に取付けられる液状化粧料用キャップとで化粧料収納容器を構成している。
【０００９】
本発明は筒状のハカマ部材、このハカマ部材の先端部に回転可能に取付けられた筒部材、この筒部材と前記ハカマ部材とを回転させることにより、該筒部材の先端部より口紅等の棒状化粧品を出没させることができる棒状化粧品の出没機構とからなる棒状化粧品容器と、この棒状化粧容器のハカマ部材の後端部の内壁面に形成したねじ孔と着脱可能に螺合するねじ筒が後端部に形成された内部にリップグロス等の粘性のある液状化粧料が収納されたチューブを押し圧することができるチューブカバー、このチューブカバーの先端部に前記チューブ内の液状化粧料を流出口を介して先端部より流出させることができるように取付けられたアプリケーター、このアプリケーターの流出口内に前記チューブの押し圧により液状化粧料を流出させることができチューブの押し圧解除により該チューブが元の状態に戻るときに流出させた液状化粧料の戻りを押さえることができるように空気溜まりができるように取付けられた絞り部を有する流出制御体と、前記アプリケーターの流出口を覆うように該アプリケーターに着脱可能に取付けられる液状化粧料用キャップとで化粧料収納容器を構成している。
【発明の効果】
【００１０】
以上の説明から明らかなように、本発明にあっては次に列挙する効果が得られる。
【００１１】
（１）ハカマ部材、このハカマ部材の先端部に回転可能に取付けられた筒部材、この筒部材と前記ハカマ部材とを回転させることにより、該筒部材の先端部より口紅等の棒状化粧品を出没させることができる棒状化粧品の出没機構とからなる棒状化粧品容器と、この棒状化粧容器のハカマ部材の後端部に着脱可能に取付ける取付け手段を介して取付けられた内部にリップグロス等の粘性のある液状化粧料が収納されたチューブを押し圧することができるチューブカバー、このチューブカバーの先端部に前記チューブ内の液状化粧料を流出口を介して先端部より流出させることができるように取付けられたアプリケーター、このアプリケーターの流出口を覆うように該アプリケーターに着脱可能に取付けられる液状化粧料用キャップとで構成されているので、口紅等の棒状化粧品を出没させることができる棒状化粧品容器にリップグロス等の粘性のある液状化粧料が収納されたチューブを収納するチューブカバーを取付けた状態で所持することができる。
したがって、口紅等の棒状化粧品と液状化粧料とが従来のように別容器でないため、所持が容易にできるとともに、使用時に多くの化粧品の中から探し出す等の作業が不要で、楽に使用することができる。
【００１２】
（２）前記（１）によって、棒状化粧品容器と液状化粧料が収納されたチューブを、内部に備えるチューブカバーを着脱可能に取付け手段で取付けているので、色の異なる棒状化粧品と色等の異なる液状化粧料とを任意に選択して、容易に組み合わせることができる。
したがって、使用者の好みに応じた組合せで使用することができるとともに、使用量が異なり、一方が使用できなくなった場合にはその一方だけを差し替えて使用することができるので、経済的に使用することができる。
【００１３】
（３）前記（１）によって、一方の棒状化粧品や他方の液状化粧料で化粧する場合には、他方の使用していない方を柄として持つことができる。
したがって、持つ部位が多くなり、安定した状態で化粧を行なうことができる。
【００１４】
（４）請求項2、３も前記（１）〜（３）と同様な効果が得られる。
【００１５】
（５）請求項４も前記（１）〜（３）と同様な効果が得られるとともに、流出制御体によって、チューブの押し圧解除時のチューブの戻りがスムーズで、かつ流出させた液状化粧料の流出口内への戻りを低減させることができる。
【００１６】
（６）請求項５も前記（１）〜（３）と同様な効果が得られるとともに、チューブ内の液状化粧料を押し出す時にチューブカバーの壁面を利用して押し出すことができる。
したがって、容易にチューブ内の液状化粧料を押し出すことができる。
【発明を実施するための最良の形態】
【００１７】
以下、図面に示す本発明を実施するための最良の形態により、本発明を詳細に説明する。
【００１８】
図１ないし図８に示す本発明を実施するための最良の第１の形態において、１は本発明の化粧料収納容器で、この化粧料収納容器１は口紅等の棒状化粧品２を収納する棒状化粧品容器３と、この棒状化粧品容器３に着脱可能に取付けられるリップグロス等の液状化粧料４を収納する液状化粧料容器５とで構成されている。
【００１９】
前記棒状化粧品容器３は筒状のハカマ部材本体６、このハカマ部材本体６の先端部と一体形成された外周部が小径のキャップ嵌合筒７、このキャップ嵌合筒７の先端部と一体形成された筒部材支持筒８とからなるハカマ部材９と、このハカマ部材９の筒部材支持筒８に後端部がＯリング１０を介して回転可能に取付けられた筒部材１１と、前記筒部材支持筒８の内壁面に形成されたねじ山と係合する係合片１２、この係合片１２と係合するねじ部１３が形成されたねじ棒１４、このねじ棒１４の先端部に一体形成された口紅等の棒状化粧品２を支持する皿部材１５、この皿部材１５の外周部に形成された、前記筒部材１１の内壁面の軸心方向に形成された係合溝１６、１６と係合する係合ピン１７、１７とからなる前記ハカマ部材９と筒部材１１とを回転させることにより、筒部材１１の先端部より口紅等の棒状化粧品２を出没させる棒状化粧品の出没機構１８と、前記ハカマ部材９のハカマ部材本体６の内壁面に形成された取付け手段１９の一方を構成するねじ部２０と、前記筒部材１１の外周部を覆う前記キャップ嵌合筒７と着脱可能に嵌合するキャップ２１とで構成されている。
【００２０】
前記液状化粧料容器５は押し圧透孔２２、２２が形成された筒状のチューブカバー本体２３、このチューブカバー本体２３の先端部に外径が小径でねじ部２４が形成されたアプリケーター取付部２５、前記チューブカバー本体２３の後端部に一体形成された内部に前記棒状化粧品容器３のねじ棒１４が内部に入り込むことができるように筒状に形成され、外周部に前記ねじ部２０と螺合するねじ部２６が形成された取付け手段１９の他方を構成するねじ筒２７とからなるチューブカバー２８と、このチューブカバー２８内に収納された先端開口部２９が前記アプリケーター取付部２５内に位置するリップグロス等の液状化粧料４が収納されたチューブ３０と、このチューブ３０の開口部２９に嵌合される嵌合片３１および前記アプリケーター取付部２５のねじ部２４と螺合するねじ部３２が形成された螺合筒３３および傾斜面３４の先端部に流出口３５が形成されたアプリケーター３６と、このアプリケーター３６と着脱可能に嵌合する、該アプリケーター３６の流出口３５を覆うピン３７が形成された液状化粧料用キャップ３８とで構成されている。
【００２１】
このように構成された化粧料収納容器１は使用者の好みに応じた口紅等の棒状化粧品２が収納された棒状化粧品容器３と、使用者の好みに応じた液状化粧料４が収納された液状化粧料容器５とを選択し、取付け手段１９であるチューブカバー２８のねじ筒２７のねじ部２６とハカマ部材９のねじ部２０とを螺合固定して一体化する。
この状態で、口紅等の棒状化粧品２を使用する場合には、キャップ２１を外し、ハカマ部材９あるいはチューブカバー２８と筒部材１１とを回転させることにより、棒状化粧品の出没機構１８の作用により、筒部材１１の先端部より口紅等の棒状化粧品２を出没させて、従来の口紅容器と同様な操作で使用することができる。
【００２２】
次に、リップグロス等の液状化粧料４を使用する場合、キャップ２１が取付けられていることを確認のうえ、液状化粧料用キャップ３８を外し、チューブカバー２８の押し圧透孔２２、２２よりチューブ３０を押し圧し、アプリケーター３６の流出口３５よりリップグロス等の液状化粧料４を流出させて使用する。
[発明を実施するための異なる形態]
【００２３】
次に、図９ないし図２６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２４】
図９ないし図１１に示す本発明を実施するための第２の形態において、前記本発明を実施するための最良の第１の形態と主に異なる点は、ハカマ部材本体６の後端部の外周部を小径にしてねじ部３９を形成するとともに、チューブカバー本体２３の後端部に前記ねじ部３９と螺合するねじ部４０が形成されたねじ筒４１を用いた取付け手段１９Ａを用いた点で、このような取付け手段１９Ａを用いて構成した化粧料収納容器１Ａにしても、前記本発明を実施するための最良の第１の形態と同様な作用効果が得られる。
【００２５】
図１２ないし図１４に示す本発明を実施するための第３の形態において、前記本発明を実施するための最良の第１の形態と主に異なる点は、内壁面に注出口３５を覆う傾斜面の閉片４２を形成するとともに、液状化粧料用キャップ３８Ａの位置決め表示４３、４４を、該液状化粧料用キャップ３８Ａとアプリケーター３６に形成した点で、このように構成した化粧料収納容器１Ｂにしても、前記本発明を実施するための最良の第１の形態と同様な作用効果が得られる。
【００２６】
図１５ないし図１７に示す本発明を実施するための第４の形態において、前記本発明を実施するための最良の第１の形態と主に異なる点は、ハカマ部材９とチューブカバー２８を一体形成した棒状化粧品容器３Ａと、チューブ３０、アプリケーター３６および液状化粧料用キャップ３８とからなる液状化粧料容器５Ａとで構成した点で、このような棒状化粧品容器３Ａと液状化粧料容器５Ａとで構成した化粧料収納容器１Ｃにしても、前記本発明を実施するための最良の第１の形態と同様な作用効果が得られる。
【００２７】
図１８ないし図２０に示す本発明を実施するための第５の形態において、前記本発明を実施するための最良の第１の形態と主に異なる点は、中央部寄り後部側が順次拡開する傾斜部４５を設けた流出口３５と接続される流出ガイド孔４６を形成したアプリケーター３６Ａと、このアプリケーター３６Ａの流出ガイド孔４６の拡開端部の傾斜部４５に先端部が位置して空気溜まり４７ができるように取付けられた先端部に絞り部４８を形成した流出路４９を有する流出制御体５０とを設けた点で、このように構成した化粧料収納容器１Ｄにしても、前記本発明を実施するための最良の第１の形態と同様な作用効果が得られるとともに、チューブ３０の押し圧により液状化粧料４を流出制御体５０の流出路４９および流出ガイド孔４６を介して流出口３５より流出させることができ、チューブ３０の押し圧解除により空気溜まり４７の空気によって該チューブ３０が元の状態にスムーズに戻るとともに、流出させた液状化粧料４の戻りを流出制御体５０の絞り部４８で押さえて最適な液状化粧料４の突出量で使用することができる。
【００２８】
図２１ないし図２３に示す本発明を実施するための第６の形態において、前記本発明を実施するための第５の形態と主に異なる点は、先端部を順次小径となる絞り部４８Ａを形成した流出制御体５０Ａを用いた点で、このような流出制御体５０Ａを用いて構成した化粧料収納容器１Ｅにしても、前記本発明を実施するための第５の形態と同様な作用効果が得られる。
【００２９】
図２４ないし図２６に示す本発明を実施するための第７の形態において、前記本発明を実施するための最良の第１の形態と主に異なる点は、液状化粧料４が収納されたチューブ３０を１つの指先で押し圧できるように両側部が円弧状に突出する、ほぼ半円筒形状に切り欠いた切り欠き部５１を有するチューブカバー２８Ａを用いた点で、このようなチューブカバー２８Ａを用いて構成した化粧料収納容器１Ｆにしても、前記本発明を実施するための最良の第１の形態と同様な作用効果が得られるとともに、液状化粧料４の押し出し時にチューブカバー２８Ａの壁面に向けて１つの指先でチューブ３０を押し圧することにより、容易に液状化粧料４を押し出すことができる。
【００３０】
なお、前記本発明を実施する各形態では棒状化粧品２として口紅を用いるものについて説明したが、本発明はこれに限らず、リップクリーム、スチックアイシャドウ、スチックファンデーション等を用いてもよい。
また、液状化粧料４として、リップグロスを用いるものについて説明したが、本発明はこれに限らず、アイライナ、アイブロウ、ラメ入りリップグロス等を用いてもよい。
さらに、前記本発明を実施する各形態ではねじを用いた取付け手段について説明したが、本発明はこれに限らず、押し込みによるクリック嵌合や回動によるクリック嵌合を用いてもよい。
前記本発明を実施する第５、第６の形態では流出制御体５０、５０Ａの先端部に絞り部４８、４８Ａを形成するものについて説明したが、本発明はこれに限らず流出制御体５０、５０Ａの後端部に絞り部４８、４８Ａを形成してもよい。
【産業上の利用可能性】
【００３１】
本発明は化粧料収納容器を製造する産業で利用される。
【図面の簡単な説明】
【００３２】
【図１】本発明を実施するための最良の第１の形態の平面図。
【図２】本発明を実施するための最良の第１の形態の正面図。
【図３】本発明を実施するための最良の第１の形態のキャップを外した状態の正面図。
【図４】図１の４−４線に沿う拡大断面図。
【図５】図１の５−５線に沿う拡大断面図。
【図６】本発明を実施するための最良の第１の形態の棒状化粧品の使用状態の説明図。
【図７】本発明を実施するための最良の第１の形態の液状化粧料の使用状態の説明図。
【図８】本発明を実施するための最良の第１の形態の棒状化粧品容器と液状化粧料容器とを外した状態の断面図。
【図９】本発明を実施するための第２の形態の平面図。
【図１０】図９の１０−１０線に沿う拡大断面図。
【図１１】本発明を実施するための第２の形態の棒状化粧品容器と液状化粧料容器とを外した状態の断面図。
【図１２】本発明を実施するための第３の形態の平面図。
【図１３】図１２の１３−１３線に沿う拡大断面図。
【図１４】本発明を実施するための第３の形態の棒状化粧品容器と液状化粧料容器とを外した状態の断面図。
【図１５】本発明を実施するための第４の形態の平面図。
【図１６】図１５の１６−１６線に沿う拡大断面図。
【図１７】本発明を実施するための第４の形態の棒状化粧品容器と液状化粧料容器とを外した状態の断面図。
【図１８】本発明を実施するための第５の形態の縦断面図。
【図１９】本発明を実施するための第５の形態のアプリケーター部の説明図。
【図２０】本発明を実施するための第５の形態の液状化粧料の使用状態の説明図。
【図２１】本発明を実施するための第６の形態の縦断面図。
【図２２】本発明を実施するための第６の形態のアプリケーター部の説明図。
【図２３】本発明を実施するための第６の形態の液状化粧料の使用状態の説明図。
【図２４】本発明を実施するための第７の形態の平面図。
【図２５】本発明を実施するための第７の形態の縦断面図。
【図２６】本発明を実施するための第７の形態のチューブカバーの説明図。
【符号の説明】
【００３３】
１、１Ａ、１Ｂ、１Ｃ、１Ｄ、１Ｅ：化粧料収納容器、
２：棒状化粧品              、                                      ３、３Ａ：棒状化粧品容器、
４：液状化粧料、                                      ５、５Ａ：液状化粧料容器、    
６：ハカマ部材本体、、                                          ７：キャップ嵌合筒、
８：筒部材支持筒、                                  ９：ハカマ部材、
１０：Ｏリング、                                      １１：筒部材、
１２：係合片、                                                        １３：ねじ部、
１４：ねじ棒、                                                        １５：皿部材、
１６：係合溝、                                                        １７：係合ピン、
１８：棒状化粧品の出没機構、                            １９、１９Ａ：取付け手段、
２０：ねじ部、                                                        ２１：キャップ、
２２：押し圧透孔、                                  ２３：チューブカバー本体、
２４：ねじ部、                                                        ２５：アプリケーター取付部、
２６：ねじ部、                                                        ２７：ねじ筒、
２８：チューブカバー、                          ２９：開口部、
３０：チューブ、                                      ３１：嵌合片、
３２：ねじ部、                                                        ３３：螺合筒、
３４：傾斜面、                                                        ３５：流出口、
３６、３６Ａ：アプリケーター、          ３７：ピン、
３８、３８Ａ：液状化粧料用キャップ、
３９：ねじ部、                                                        ４０：ねじ部、
４１：ねじ筒、                                                        ４２：閉片、
４３、４４：位置決め表示、          ４５：傾斜部、
４６：流出ガイド孔、                ４７：空気溜まり、
４８、４８Ａ：絞り部、              ４９：流出路、
５０、５０Ａ：流出制御体。
【図１】
2008220626.tif 000003
【図２】
2008220626.tif 000004
【図３】
2008220626.tif 000005
【図４】
2008220626.tif 000006
【図５】
2008220626.tif 000007
【図６】
2008220626.tif 000008
【図７】
2008220626.tif 000009
【図８】
2008220626.tif 000010
【図９】
2008220626.tif 000011
【図１０】
2008220626.tif 000012
【図１１】
2008220626.tif 000013
【図１２】
2008220626.tif 000014
【図１３】
2008220626.tif 000015
【図１４】
2008220626.tif 000016
【図１５】
2008220626.tif 000017
【図１６】
2008220626.tif 000018
【図１７】
2008220626.tif 000019
【図１８】
2008220626.tif 000020
【図１９】
2008220626.tif 000021
【図２０】
2008220626.tif 000022
【図２１】
2008220626.tif 000023
【図２２】
2008220626.tif 000024
【図２３】
2008220626.tif 000025
【図２４】
2008220626.tif 000026
【図２５】
2008220626.tif 000027
【図２６】
2008220626.tif 000028